(57)【要約】【課題】  従来のはさみにおいて、厚紙を切り進みやすく、また、平面上で取り上げやすく、立て置きも出来るはさみに設けるＬ字型ガイド、またはＬ字型ガイド付はさみを提供する。【解決の手段】  一対の刃板５、５をその基端部６、６に連結された上下環状操作部１２ｂ、１２ａで、枢軸１０により開閉可動に軸支された従来のはさみ１において、一定の幅と長さを有する方形状の薄平板が、縦にＬ字に折れたＬ字型部材２の一方の部材を上刃７ａの刃元９に固着する部材１５とし、その刃先８に伸びる方向の端部からＬ字折れて右側の横方向に伸びている部材をガイドする部材１６とし、はさみ１を平面１８ｂ上に横向きに立たせるため、Ｌ字になった折曲部１４に対してガイドする部材１６の底辺１７に所要の角度θ１を付け、その角度に対応する角度θ２でガイドする部材１６を上刃７ａの刃先８に向けて前傾して上刃７ａの刃元９に設けるＬ字型ガイド３及びＬ字型ガイド付はさみ４とした。【選択図】図１
2015047490.tif 000002
【特許請求の範囲】
【請求項１】
一対の刃板をその基端部に連結された環状操作部で、枢軸により開閉可動に軸支された従来のはさみにおいて、一定の幅と長さを有する方形状の薄平板の部材が、縦にＬ字に折れたＬ字型部材の一方の部材を従来のはさみの上刃の刃元に固着する部材とし、その部材の刃先に伸びる方向の端部からＬ字に折れて右側の横方向に伸びている部材をガイドする部材としたＬ字型ガイドで、従来のはさみを刃板を閉じた状態で平面上に置く場合、刃先と平面に一定の間隙を与えて平面上に立てられる高さにＬ字型ガイドは形成され、はさみを横向きに、上下環状操作部の後ろから見て右傾させてガイドする部材の底辺と下部環状操作部の底部とで従来のはさみを支えることで立たせるため、ガイドする部材の底辺に、Ｌ字になった縦の折曲部に対して所要の角度を付け、さらにその角度に対応する角度でガイドする部材を上刃の刃先に向けて前傾するようにＬ字型ガイドを従来のはさみの上刃の刃元に固着して設けることを特徴とするＬ字型ガイド。
【請求項２】
上記該Ｌ字型ガイドを、一対の刃板をその基端部に連結された環状操作部で、枢軸により開閉可動に軸支された従来のはさみの上刃の刃元に、ガイドする部材の底辺にＬ字になっている縦の折曲部に対しての所要の角度を付け、その所要の角度に対応する角度で上刃の刃先に向けて前傾させて固着して設けることを特徴とする請求項１記載のＬ字型ガイド付はさみ。
【請求項３】
上記該Ｌ字型ガイドの、ガイドする部材のＬ字になっている縦の折曲部に対する底辺の所要の角度＋ガイドする部材の底辺の所要の角度に対応するガイドする部材の従来のはさみの上刃の刃先に向けて前傾する角度＝１００度、乃至、上記該Ｌ字型ガイドの、ガイドする部材のＬ字になっている縦の折曲部に対する底辺の所要の角度＋ガイドする部材の底辺の所要の角度に対応するガイドする部材の従来のはさみの上刃の刃先に向けて前傾する角度≒１００度で、６０度≦Ｌ字になっている縦の折曲部に対する底辺の所要の角度≦８０度が好ましいとする請求項１記載のＬ字型ガイド及びＬ字型ガイド付はさみ。
【発明の詳細な説明】
【技術分野】
【０００１】  本発明は、従来のはさみにおいて、厚紙等を切り進みやすく、また、平面上に立て置きも出来るはさみに設けるＬ字型のガイド、及びＬ字型ガイド付はさみに関するものである。
【背景技術】
【０００２】  従来のはさみは、一対の刃板とその基端部に連結された環状操作部が、枢軸により開閉可動に軸支されたものであって、枢軸を支点として環状操作部を開閉することで上刃と下刃を交差させ、その切り口を前に進めて行き、紙等を切断していた。
また、使った後は机の上にそのまま横に寝かせた状態で置いておくか、机の引き出しに入れておくか、箱等の中に立て置くかしていた。【０００３】  しかし、従来のはさみで厚紙等を切るときは、切断物が握り手に当たり、はさみを切り進めるためには切断されたものを当たっている握り手の下に押し下げないと切り進めることが出来なかった。  これを回避するために考案されたのが、実用新案公開昭６３−１８３９７３号公報にある押し下げ器付はさみである。  また他に特許公開平１１−３１３９９０号公報における、はさみの刃板と握り部を屈曲させているものや、登録実用新案第３１３５６５６号公報における、はさみにガイド部を刃最後尾付近に取り付けるものなどがある。  また、はさみを平面上に置いた時、はさみ自体が平べったいので取り難く、立て置くためには立て入れるための箱等が必要だった。  これを解決するための手段として、特許公開平２００１−７９２７９号公報においては、はさみの環状操作部の内側同士または外側同士に傾斜を付け平面との間に間隙をつくり、指を入れやすることではさみを取り上げやすくしている。  また特許公開平１１−３４７２６３号公報においては、刃部の峰部と親指以外の指を挿入する第一指掛環の下部に設けられた支持部により横向きに立たせることが出来るとしている。  その他、特許公開２００７−８９７８９号公報では、はさみの環状操作部の底部に載置台を設けることによりはさみを平面上に横向きに立てることが出来るようにしている。
【先行技術文献】
【特許文献】
【０００４】
【特許文献１】  実用新案公開昭６３−１８３９７３号公報
【特許文献２】  特許公開平１１−３１３９９０号公報
【特許文献３】  登録実用新案第３１３５６５６号
【特許文献４】  特許公開２００１−７９２７９号公報
【特許文献５】  特許公開平１１−３４７２６３号公報
【特許文献６】  特許公開２００７−８９７８９号公報
【発明の概要】
【発明が解決しようとする課題】
【０００５】  しかしながら、厚紙等を握り手に当たらないように切ることが出来るはさみとして、特許文献１においては、押し下げ器の取り付けは、はさみの枢軸部の改造が必要でコストの問題があるのと、一定の幅以上を切断する場合、切断物が当たる押し下げ器の前部の幅が狭いので、実験の結果、切断物が押し下げ器からはみ出て握り手に当たることもあった。特許文献２においては、刃板と握り部を屈曲させているので、厚紙等を切り進めるとき違和感がある。  特許文献３においては、はさみの両刃部の最後尾付近にガイド部を付け加えたり、取り付けたりするものであるが、その具体的な取り付け方法が記載されていない。
また、はさみを平面上に置いた時、取り上げやすくしたものとして、特許文献４においては、両環状操作部同士が内側に向けてまた外側に向けて傾斜を付けられているので指は多少入れやすいが、環状操作部を握ったとき違和感がある。  また、横向きに平面上に立たせるものとして、特許文献５においては、はさみの刃先から刃部の峰部と親指以外を挿入する下部環状操作部の下部に設けられた支持部と協働して横向きに立たせることが出来るとしているが、刃先と刃峰部が平面に接触しているので、平面を傷つける恐れもある。また、特許文献６においては、はさみの環状操作部の底部に載置台を設けて平面と刃先に間隙を付けた状態で横向に立たせることが出来るというものであるが、はさみ自体の製造にコストがかかりそうである。
本発明が解決しようとする課題は、従来のはさみで厚紙等を切り進めるとき、握り手の指に切断物が当たらず違和感なく切り進めることと、平面上に置いた時、取り上げやすくなお且つ、横向きに立て置きも出来て製造のコストも安いはさみに設けるＬ字型ガイド、及びＬ字型ガイド付はさみを提供することである。
【課題を解決するための手段】
【０００６】  一対の刃板をその基端部に連結された上下環状操作部で、枢軸により開閉可動に軸支された従来のはさみにおいて、一定の幅と長さを有する方形状の薄平板の部材が、縦にＬ字に折れたＬ字型部材の一方の部材を従来のはさみの上刃の刃元に固着する部材とし、その部材の刃先に伸びる方向の端部からＬ字に折れて右側の横方向に伸びている部材をガイドする部材としたＬ字型ガイドで、従来のはさみを刃板を閉じた状態で平面上に横向きに置く場合、平面と刃先に一定の間隙を与えて立て置き出来るような高さにＬ字型ガイドは形成され、はさみを横向きに、上下環状操作部の後ろから見て右傾させてガイドする部材の底辺と下部環状操作部の底部とで協働して支えることで平面上に横向きに立たせるため、ガイドする部材の底辺に、Ｌ字になった縦の折曲部に対して所要の角度を付け、さらにその角度に対応する角度でガイドする部材を上刃の刃先に向けて前傾するようにＬ字型ガイドを従来のはさみの上刃の刃元に固着して設けることを特徴とするＬ字型ガイド及びＬ字型ガイド付はさみを提供する。
【発明の効果】
【０００７】  この該Ｌ字型ガイド付はさみで厚紙を切ったら、最初に切断された部分が前傾して固着して取り付けられたＬ字型ガイドのガイドする部材の前面に当たり、切断物が握り手に当たることも無く安定してスムーズに下方に押し下げられ、切ること自体が楽しくなった。また、該Ｌ字型ガイド付はさみをＬ字型ガイドを上にして平面上に置いたら、ガイドする部材の上を向いている渕の部分を指で掴んで取り上げ易くなり、さらに刃先が平面と一定の間隙を設けた状態で該Ｌ字型ガイド付はさみを平面上に横向きに立て置くことが出来るようになったので、なお一層取り易くもなり、調理用はさみに利用したら刃板がテーブルやキッチン台に直接触れることも無く衛生的になった。
【図面の簡単な説明】
【０００８】
【図１】本発明に係わるＬ字型部材の斜視図とＬ字型ガイド付はさみの分解斜図である。
【図２】本発明に係わるＬ字型ガイド付はさみを横向に立て置いた想定載置面における斜視図で、従来のはさみの寸法、Ｌ字型ガイドの寸法、取り付け位置、取り付け角度の一例を示している。
【図３】本発明に係わるＬ字型ガイドの裏にキャラクターを貼り付けたキャラクター付Ｌ字型ガイド付はさみを平面上に横向きに立て置きした斜視図である。
【図４】本発明に係わるＬ字型ガイド付はさみで厚紙を切っている斜視図である。
【課題を実施するための形態】
以下、本発明を実施するための形態について、図１から図４を参照して以下説明する。
【実施例】
【０００９】  図１に図示したように、一対の刃板５、５の基端部６，６に連結された上下環状操作部１２ｂ、１２ａが、枢軸１０により開閉可動に軸支された従来のはさみ１において、一定の幅と長さを有する方形状の薄平板のプラスティック等の合成樹脂、鉄またはアルミ、ステンレス等の合金等で出来た部材が、縦にＬ字に折れたＬ字型部材２の一方の部材を、従来のはさみ１の上刃７ａの刃元９に固着する部材１５とし、その部材１５の上刃７ａの刃先８に伸びる方向の端部から縦にＬ字に折れて右側の横方向に伸びている部材を切断物をガイドする部材１６とするＬ字型ガイド３で、従来のはさみ１を横向きに上下環状操作部１２ｂ、１２ａの後ろから見て右傾させて、下部環状操作部１２ａの底部１３とガイドする部材１６の底辺１７とで支えることで平面上に立たせるため、ガイドする部材１６の底辺１７にＬ字に折れた折曲部１４に対して切断線Ｄでカットして所要の角度θ１を付け、その角度θ１に対応する角度θ２でガイドする部材１６を上刃７ａの刃先８に向けて前傾させ、上刃７ａの刃元９の峰１１からはみ出る固着する部材１５の上部の辺を切断線Ａでカットし、固着する部材１５の枢軸側の縦の辺の下部の角を安全のため直線の切断線Ｂまたは、曲線の切断線ＣでカットしたＬ字型ガイド３を、既存の従来のはさみ１の上刃７ａの刃元９に両面テープで固着して取り付けた。【００１０】  上記該Ｌ字型ガイド３を従来のはさみ１の製造の段階で両面テープで上刃７ａの刃元９に固着して取り付けた。【００１１】  上記該Ｌ字型ガイド３を、既存の従来のはさみ１の上刃７ａの刃元９に接着材で後付けして取り付けた。【００１２】  上記該Ｌ字型ガイド３を従来のはさみ１の製造の段階での上刃７ａの刃元９に接着材で固着して取り付けた。【００１３】  鉄、またはアルミ、ステンレス等の合金で出来た上記該Ｌ字型ガイド３を、従来のはさみ１の製造の段階で上刃７ａの刃元９に熱による容着で固着して取り付けた。【００１４】  本発明の実施形態に係わるＬ字型ガイド付はさみ４の１例を、図２を参考にして紹介す  る。  図２は、Ｌ字型ガイド付はさみ４の寸法、及びＬ字型ガイド３の寸法、取り付け位置、取り付け角度θ２、ガイドする部材１６の底辺１７の、縦にＬ字になっている折曲部１４に対する角度θ１の１例を示している斜視図である。  Ｌ字型ガイド付はさみの全長ａ：１６５ｍｍ  刃板の長さｂ（刃板の基端部から刃先５までの長さ）：９０ｍｍ  上下環状操作部１２ｂ、１２ａの全幅ｃ：６０ｍｍ  Ｌ字型ガイド３の折曲部１４の縦の長さｄ：４０ｍｍ  Ｌ字型ガイド３のガイドする部材１６の横の幅ｅ：１５ｍｍ  Ｌ字型ガイド３の刃元９に固着する部材１５の横の幅ｆ：１０ｍｍ  Ｌ字型ガイド３のガイドする部材１６の外側の縦の長さｇ：２５ｍｍ  Ｌ字型ガイド３の固着する部材１５の上部の辺は、刃元９の峰１１からはみ出ないように切断線Ａで切断されている。  また固着する部材１５の枢軸１０側の縦の辺の下部の角は、安全のため切断線Ｃの直線でカットされている。該Ｌ字型ガイド付はさみ４を、刃板５、５が閉じた状態で平面上に置く場合、下部環状操作部１２ａの底部１３とガイドする部材１６の底辺１７を通る想定載置面１８ａと刃先８に間隙ｈを設けて想���載置面１８ａ上に横向きに立てられるような高さにＬ字型ガイド３は形成され、上下環状操作部１２ｂ、１２ａの後ろから見て右傾させて、下部環状操作部の底部１３とガイドする部材１６の底辺１７とで支えることで該Ｌ字型ガイド付はさみ４を横向きに立たせるため、ガイドする部材１６の底辺１７に、固着する部材１５とガイドする部材１６の縦の折曲部１４に対して、切断線Ｂでカットして７０度θ１の角度を付け、これに対応するＬ字型ガイド３のガイドする部材１６の上刃７ａの刃先８に向けて前傾する３０度θ２の角度になるように、固着する部材１５を枢軸１０に隣接して固着させている。  切断物をガイドする部材１６の底辺１７の、Ｌ字になっている縦の折曲部１４に対する角度θ１が６０度の場合、その角度に対応するガイドする部材３の、上刃１０の刃先１３に向けて前傾する角度は４０度が好ましい。  角度を変えて繰り返し実験を行った結果、θ１＋θ２＝１００、乃至、θ１＋θ２≒１００であることがわかった。  Ｌ字になっている縦の折曲部１４に対するガイドする部材１６の底辺１７の好ましい角度は、８０度〜６０度の範囲で、その底辺１７の角度に対応するガイドする部材１６の刃先８に向けて前傾する好ましい角度は、２０度〜４０度である。  ガイドする部材１６の底辺１７の角度θ１＋ガイドする部材１６の底辺６の角度θ１に対応するガイドする部材１６の刃先８に向けて前傾する角度θ２＝１００度、乃至、≒１００度である。  但し、６０度≦θ１≦８０度の条件が好ましいこととする。【００１５】  図３は、本発明の実施形態に係わるＬ字型ガイド付はさみ４のガイドする部材１６の裏に、プラスチック等で出来たかわいらしいキャラクター１９を貼り付けて平面１８ｂ上に横向きに立て置きした斜視図で、Ｌ字型ガイド付はさみ４自体をかわいらしく引き立てているのと同時に、該Ｌ字型ガイド付はさみ４を横向きに立たせるため、Ｌ字になっている縦の折曲部１４に対して所要の角度θ１を付けられたガイドする部材１６の底辺１７を広げる役目もしており、より安定して立たせることが出来た。  図４は、該Ｌ字型ガイド付はさみ４で厚紙２２を切っている斜視図で、切断された厚紙２２は、握り手２３には全く当たることも無くスムーズにガイドする部材１６により下方に押し下げられ、何のためらいも無く切り進むことが出来て、切ること自体が楽しくなった。  また、平面１８ｂ上に該Ｌ字型ガイド付はさみ４を横向きに立て置きする時は、上部環状操作部１２ｂを上にして下部環状操作部１２ａを平面１８ｂに接地させれば、そのままガイドする部材１６の底辺１７が、該Ｌ字型ガイド付はさみ４の下部環境操作部１２ａの底部１３と協働して該Ｌ字型ガイド付はさみ４を右傾して支えてくれて横向きに立て置くことができる。  取り上げる時は、まず、該Ｌ字型ガイド付はさみみ４の下部環状操作部１２ａに中指を挿入するのと同時に上部環状操作部１２ｂの上から親指をかぶせ、人差し指を下部環状操作部１２ａの基端部６側の下に入れ、該Ｌ字型ガイド付はさみ４を持ち上げて最後に親指を上部環状操作部１２ｂに挿入すれば簡単に持ち上げることが出来る。
【符号の説明】
【００１６】１      従来のはさみ
２      Ｌ字型部材
３      Ｌ字型ガイド
４      Ｌ字型ガイド付はさみ
５      刃板
６      基端部
７ａ    上刃
７ｂ    下刃
８      上刃の刃先
９      上刃の刃元
１０    枢軸
１１    峰
１２ａ  下部環状操作部
１２ｂ  上部環状操作部
１３    下部環状操作部の底部
１４    Ｌ字になった折曲部
１５    固着する部材
１６    ガイドする部材
１７    ガイドする部材の底辺
１８ａ  下部環状操作部とガイドする部材の底辺を通る想定載置面
１８ｂ  平面
１９    キャラクター
２０    キャラクター付Ｌ字型ガイド付はさみ
２１    ガイドする部材のキャラクターにより広げられた底辺
２２    厚紙
２３    握り手
Ａ      刃元の峰からはみ出ないように固着する部材の上部の辺の切断線
Ｂ      固着する部材の環状操作部側の縦の辺の下部の角の直線の切断線
Ｃ      固着する部材の環状操作部側の縦の辺の下部の角の曲線の切断線
Ｄ      Ｌ字になった折曲部に対するガイドする部材の底辺の所要の角度にするための切        断線
Ｅ      上刃側の枢軸と刃先を結んだ線
Ｆ      Ｅ線に直交する線
Ｇ      Ｌ字になった折強部を伸ばした線
ａ      従来のはさみの全長
ｂ      刃板の基端部から刃先までの長さ
ｃ      上下環状操作部の全幅
ｄ      固着する部材とガイドする部材のＬ字になった折曲部の縦の長さ
ｅ      ガイドする部材の幅
ｆ      固着する部材の幅
ｇ      ガイドする部材の外側の縦の長さ
ｈ      下部環状操作部の底部とガイドする部材の底辺を通る想定載置面と刃先との一定        の間隙
θ１    ガイドする部材のＬ字になった折曲部に対する底辺の角度
θ２    ガイドする部材の底辺の角度θ１に対応するガイドする部材の上刃の刃先に前傾        する角度
【図１】
2015047490.tif 000003
【図２】
2015047490.tif 000004
【図３】
2015047490.tif 000005
【図４】
2015047490.tif 000006